【手続補正書】
【提出日】平成21年8月23日(2009.8.23)
【手続補正１】
【補正対象書類名】特許請求の範囲
【補正対象項目名】全文
【補正方法】変更
【補正の内容】
【特許請求の範囲】
【請求項１】
記録ユニットと、該記録ユニットに対して第１の軸で回動可能に配されたスキャナユニットと、前記記録ユニットと前記スキャナユニットとの間に連結されたダンパユニットと、を備える画像読取記録装置であって、
前記ダンパユニットは、前記記録ユニットに第２の軸で回動可能に連結されたホルダと、前記ホルダに対して伸縮方向に移動可能で前記スキャナユニットにガタを有する第３の軸と孔との嵌合により連結されたロッドと、前記ホルダと前記ロッドとの間に装着され前記ロッドを押し出す方向の力を発生するばねとを備え、
前記スキャナユニットを前記記録ユニットに対して開いた位置から閉じた位置に移動する間に、前記第１、第３、第２の軸が直線上に並ぶ位置があり、
前記記録ユニットに前記ロッドに配された突起と当接可能なガイド面を設け、前記スキャナユニットが前記開いた位置から前記閉じた位置に移動する途中であって前記３つの軸が直線上に並ぶ位置に達する前の位置から、前記閉じた位置まで、前記突起を前記ガイド面に当接させることで前記ロッドを押込む方向に作用することを特徴とする画像読取記録装置。
【請求項２】
前記スキャナユニットを前記記録ユニットに対して開くことにより、前記記録ユニットのメンテナンスが可能となることを特徴とする請求項１に記載の画像読取記録装置。
【請求項３】
前記ホルダは前記記録ユニットに配された保持ケースに前記第２の軸で回転可能に軸支されることを特徴とする請求項１または２に記載の画像読取記録装置。
【請求項４】
前記ガイド面は前記保持ケースに形成されることを特徴とする請求項３に記載の画像読取記録装置。
【請求項５】
前記保持ケースは剛性の高い金属材料で形成され、前記ガイド面は摺動性に優れた表面層を有することを特徴とする請求項４に記載の画像読取記録装置。
【手続補正２】
【補正対象書類名】明細書
【補正対象項目名】０００５
【補正方法】変更
【補正の内容】
【０００５】
図７〜図１０において、スキャナユニット１０３は、記録ユニット１２０の上部筐体を形成するフレーム１０２に、回転軸１０３ｂを介して開閉可能に取り付けられている。フレーム１０２とスキャナユニット１０３との間にダンパユニット１１０が連結されている。ダンパユニット１１０は、互いに伸縮方向に摺動（スライド）可能に組み付けられたホルダ１０４及びロッド１０５と、その間に伸縮可能に装着された圧縮ばね１０８とで構成されている。ホルダ１０４は、回転軸１０４ａを介して、フレーム１０２に固定された保持ケース１０６に回転可能に軸支されている。ロッド１０５は、その先端部の嵌合軸１０５ａを介して、スキャナユニット１０３の嵌合孔１０３ａに連結されている。圧縮ばね１０８は、ロッド１０５を図７中で図示左方向へ伸長させるように作用している。
【手続補正３】
【補正対象書類名】明細書
【補正対象項目名】０００９
【補正方法】変更
【補正の内容】
【０００９】
前述したようなロッド１０５の軸部１０５ａを受け止める凹部１０６ａを有する保持ケース１０６は、このような衝撃を防止するために設けられている。つまり、ばね１０８の作用方向が切り換わる転換位置の近傍でロッド１０５の軸部１０５ａが保持ケース１０６の凹部１０６ａ内の奥部に当接するように構成されている。この凹部１０６ａ内への当接によって、スキャナユニット１０３を閉じる方向に作用する力が分散され、スキャナユニット１０３は減速しながら図８の閉じた位置まで移動する。スキャナユニット１０３が閉じた状態では、ばね１０８の反力はロッド１０５を介してスキャナユニット１０３を下向きに押しつけるように作用する。このため、スキャナユニット１０３は、ダンパユニット１１０の軸部１０５ａが保持ケース１０６の凹部１０６ａ内に保持されることにより、閉じた位置にロック状態で保持される。
【手続補正４】
【補正対象書類名】明細書
【補正対象項目名】００１４
【補正方法】変更
【補正の内容】
【００１４】
上記目的を達成するため、本発明は、記録ユニットと、該記録ユニットに対して第１の軸で回動可能に配されたスキャナユニットと、前記記録ユニットと前記スキャナユニットとの間に連結されたダンパユニットと、を備える画像読取記録装置であって、前記ダンパユニットは、前記記録ユニットに第２の軸で回動可能に連結されたホルダと、前記ホルダに対して伸縮方向に移動可能で前記スキャナユニットにガタを有する第３の軸と孔との嵌合により連結されたロッドと、前記ホルダと前記ロッドとの間に装着され前記ロッドを押し出す方向の力を発生するバネとを備え、前記スキャナユニットを前記記録ユニットに対して開いた位置から閉じた位置に移動する間に、前記第１、第３、第２の軸が直線上に並ぶ位置があり、前記記録ユニットに前記ロッドに配された突起と当接可能なガイド面を設け、前記スキャナユニットが前記開いた位置から前記閉じた位置に移動する途中であって前記３つの軸が直線上に並ぶ位置に達する前の位置から、前記閉じた位置まで、前記突起を前記ガイド面に当接させることで前記ロッドを押込む方向に作用することを特徴とする。
【手続補正５】
【補正対象書類名】明細書
【補正対象項目名】００１８
【補正方法】変更
【補正の内容】
【００１８】
記録ユニット２０の上部は筐体状のフレーム２で構成されている。記録ユニット２０のフレーム２には、第１の軸である回転軸３ｂを介して、スキャナユニット３が回動可能に取り付けられている。記録ユニット２０の上部の開口部２ａは、記録ヘッドやインクタンクの交換や、紙詰まりした被記録材の除去などのメンテナンスを行うための開口を形成している。記録ユニット２０のフレーム２とスキャナユニット３の底部との間には、ダンパユニット１０が連結されている。
【手続補正６】
【補正対象書類名】明細書
【補正対象項目名】００１９
【補正方法】変更
【補正の内容】
【００１９】
ダンパユニット１０は、互いに伸縮方向に摺動可能に組み付けられたホルダ４とロッド５との間に緩衝用のばね８を伸縮可能に装着した構造を有する。記録ユニット２０の上部のフレーム２には、ダンパユニット１０の基部を回転可能に保持するための保持ケース６が固定されている。ダンパユニット１０のホルダ４は、第２の軸である軸部４ａを介して保持ケース６の軸受部６ｃにより回転可能に軸支されている。ダンパユニット１０のロッド５は、第３の軸である嵌合軸５ａをスキャナユニット３の孔又は開口（嵌合孔）３ａに嵌合することにより、スキャナユニット３の底部に連結されている。ダンパユニット１０は、記録ユニット２０に連結された第１の部材であるところのホルダ４と、ホルダ４に対して伸縮方向に移動可能な第２の部材であるところのロッド５とを備えている。また、ダンパユニット１０は、ホルダ４とロッド５との間に装着されることでロッド５を押し出す方向のばね力を発生する圧縮ばね８とを備えている。
【手続補正７】
【補正対象書類名】明細書
【補正対象項目名】００３３
【補正方法】変更
【補正の内容】
【００３３】
３        スキャナユニット
３ａ      孔（嵌合孔）
３ｂ 第１の軸（回転軸）
４        ホルダ
４ａ      第２の軸（軸部）
５        ロッド
５ａ      第３の軸（嵌合軸）
５ｂ      突起
６        保持ケース
７        ガイド面
８        ばね
１０      ダンパユニット
２０      記録ユニット